(57)【要約】  １つ又は複数のバッテリパック内のエネルギー伝送デバイスをバランスさせ、バッテリパックの絶縁式監視を行うためのシステムは、直列に電気的に接続された少なくとも１つのエネルギー伝送デバイスグループを含む。エネルギー伝送デバイスの各グループについて、本システムはエネルギー伝送デバイスの隣り合うペア毎にバランス回路を含む。バランス回路は、ペアの両エネルギー伝送デバイス内に蓄積される電荷が実質的に等しく、かつ各エネルギー伝送デバイス内に蓄積される電荷がしきい値を越えるように保持するように、ペアの各エネルギー伝送デバイス内に蓄積される電荷を調整する。本システムはまた、各エネルギー伝送デバイスを順次選択し、選択されたデバイスに関連づけられる電圧を出力ポートにおいて供給するための電圧監視モジュールを含む。電圧監視モジュールは、低いオン抵抗の差動マルチプレクサを用いて各エネルギー伝送デバイスを選択する。
2009544272.tif 000002
【特許請求の範囲】
【請求項１】
１つ又は複数のバッテリパック内のエネルギー伝送デバイスをバランスさせるためのシステムにおいて、
直列に電気的に接続されたＮ個のエネルギー伝送デバイスにてなる少なくとも１つのグループを備え、Ｎは２以上の整数であり、
上記システムは、Ｎ個のエネルギー伝送デバイスにてなる各グループについて、エネルギー伝送デバイスの隣り合うペア毎に１つのバランス回路を備え、
上記バランス回路は、（ｉ）上記ペアの第１のエネルギー伝送デバイスに蓄積される電荷が上記ペアの第２のエネルギー伝送デバイスに実質的に等しく、かつ（ｉｉ）各エネルギー伝送デバイスに蓄積される電荷が所定のしきい値を越えるように保持するように、上記隣り合うペアの各エネルギー伝送デバイスに蓄積される電荷を調整するシステム。
【請求項２】
上記バランス回路は、各エネルギー伝送デバイスに蓄積される電荷を所定のしきい値を越えるように保持するための少なくとも１つのツェナーダイオードを含む請求項１記載のシステム。
【請求項３】
上記バランス回路は、各エネルギー伝送デバイスに蓄積される電荷を保持するための、バックツーバック構成で設けられたツェナーダイオードのペアを含む請求項１記載のシステム。
【請求項４】
上記各エネルギー伝送デバイスを順次選択し、上記選択されたエネルギー伝送デバイスに関連づけられる電圧を出力ポートにおいて供給するための電圧監視モジュールをさらに含み、
上記電圧監視モジュールは、低いオン抵抗の差動マルチプレクサを用いて上記各エネルギー伝送デバイスを選択し、上記関連する電圧を供給する請求項１記載のシステム。
【請求項５】
上記差動マルチプレクサは分圧電源回路によって電力を供給される請求項４記載のシステム。
【請求項６】
上記電圧監視モジュールは、上記エネルギー伝送デバイスと上記出力ポートとの間を絶縁する請求項４記載のシステム。
【請求項７】
上記絶縁することは、上記マルチプレクサのための選択信号を光学的なアイソレータを通過させることと、上記選択されたエネルギー伝送デバイスに関連づけられる電圧を絶縁増幅器を通過させることとを含む請求項６記載のシステム。
【請求項８】
上記バッテリパック及び１つ又は複数の他のバッテリパックに関連づけられる温度を示す信号を受信し、上記受信された信号のうちの１つを出力ポートにおいて選択的に供給するための温度監視モジュールをさらに含む請求項１記載のシステム。
【請求項９】
上記バランス回路と上記電圧監視モジュールとは単一のプリント配線基板内で接続される請求項４記載のシステム。
【請求項１０】
各エネルギー伝送デバイスはリチウムセルである請求項１記載のシステム。
【請求項１１】
１つ又は複数のバッテリパックの絶縁された監視を提供し、上記１つ又は複数のバッテリパック内のエネルギー伝送デバイスをバランスさせるためのシステムにおいて、
直列に電気的に接続されたＮ個のエネルギー伝送デバイスにてなる少なくとも１つのグループを備え、Ｎは２以上の整数であり、
上記システムは、Ｎ個のエネルギー伝送デバイスにてなる各グループについて、バランスモジュールと電圧監視モジュールとを備え、
上記バランスモジュールは、エネルギー伝送デバイスの隣り合うペア毎に１つのバランス回路を含み、
上記バランス回路は、（ｉ）上記ペアの第１のエネルギー伝送デバイスに蓄積される電荷が上記ペアの第２のエネルギー伝送デバイスに実質的に等しく、かつ（ｉｉ）各エネルギー伝送デバイスに蓄積される電荷が所定のしきい値を越えるように保持するように、上記隣り合うペアの各エネルギー伝送デバイスに蓄積される電荷を調整し、
上記電圧監視モジュールは、
（ｉ）分圧電源で動作し、複数の入力ポートに供給される上記各エネルギー伝送デバイスを順次選択し、上記選択されたエネルギー伝送デバイスに関連づけられる電圧を出力ポートにおいて供給するための差動マルチプレクサと、
（ｉｉ）上記選択されたエネルギー伝送デバイスに関連づけられる電圧をスケーリングしてスケーリングされた電圧を生成する抵抗分圧器と、
（ｉｉｉ）絶縁されたバージョンの上記スケーリングされた電圧を供給するための絶縁増幅器と、
（ｉｖ）上記絶縁増幅器の入力側に電力を供給するための絶縁されたＤＣ／ＤＣ変換器と、
（ｖ）上記スケーリングされた電圧をシステムコントローラへインピーダンス整合するための出力演算増幅器とを含み、
上記差動マルチプレクサは、上記複数の入力ポートから上記出力ポートまでの低いオン抵抗の経路を特徴としているシステム。
【請求項１２】
上記バランス回路は、各エネルギー伝送デバイスに蓄積される電荷を保持するための、バックツーバック構成で設けられたツェナーダイオードのペアを含む請求項１１記載のシステム。
【請求項１３】
（ｉ）上記エネルギー伝送デバイスの隣り合うペア間の電荷のアンバランスのレベルを決定し、上記電荷のアンバランスのレベルに対応するエラー信号を生成するための演算増幅器と、（ｉｉ）上記エラー信号に従って、上記エネルギー伝送デバイスの隣り合うペアの電荷を再分配するように設けられたスタックされたトランジスタペアとをさらに含む請求項１２記載のシステム。
【請求項１４】
上記差動マルチプレクサは分圧電源回路によって電力を供給される請求項１１記載のシステム。
【請求項１５】
上記バッテリパック及び１つ又は複数の他のバッテリモジュールに関連づけられる温度を示す信号を受信し、上記受信された信号のうちの１つを出力ポートにおいて選択的に供給するための温度監視モジュールをさらに含む請求項１１記載のシステム。
【請求項１６】
各エネルギー伝送デバイスはリチウムセルである請求項１１記載のシステム。
【請求項１７】
バッテリパック内のエネルギー伝送デバイスをバランスさせる方法において、
上記バッテリパックは直列に電気的に接続されたＮ個のエネルギー伝送デバイスにてなる１つのグループを含み、Ｎは２以上の整数であり、
上記方法は、
上記バッテリパック内のエネルギー伝送デバイスの隣り合う各ペアについて、上記ペアのエネルギー伝送デバイスに蓄積される電荷が実質的に等しくなるように、上記隣り合うペアの各エネルギー伝送デバイスに蓄積される電荷を調整することと、
各エネルギー伝送デバイスに蓄積される電荷を所定のしきい値を越えるように保持することとを含む方法。
【請求項１８】
上記エネルギー伝送デバイスの隣り合うペア間の電荷を再分配回路を用いて再分配することをさらに含み、上記再分配回路は、各エネルギー伝送デバイスに蓄積される電荷を所定のしきい値を越えるように保持するための、バックツーバック構成で設けられたツェナーダイオードのペアを含む請求項１７記載の方法。
【請求項１９】
上記各エネルギー伝送デバイスを低いオン抵抗の差動マルチプレクサを用いて順次選択することと、上記選択されたエネルギー伝送デバイスに関連づけられる電圧を供給することとをさらに含む請求項１７記載の方法。
【請求項２０】
分圧電源回路から上記差動マルチプレクサに電力を供給することをさらに含む請求項１７記載の方法。
【発明の詳細な説明】
【技術分野】
【０００１】
本発明は、バッテリパックを動作させるための方法及びシステムに関し、特に、電気自動車へのアプリケーションにおけるディープサイクルのバッテリパックを性能、寿命及び安全性を高めるように動作させることに関する。
【背景技術】
【０００２】
上記分野においてバッテリパックが動作される方法は、バッテリパックの性能、寿命及び安全性に著しく影響する可能性がある。この懸念は、特に電気自動車における使用等の過酷なアプリケーションに関連している。
【発明の概要】
【発明が解決しようとする課題】
【０００３】
例として、互いに直列に接続された複数のリチウムセルから形成されるバッテリパックについて考察されたい。リチウムバッテリパックの寿命は、当該バッテリパックの複数のセルのうちの１つの電圧が放電中に所定のしきい値（典型的には、３ボルト。）を下回って降下したとき、又は充電中に所定のしきい値（典型的には、４．２ボルト。）を越えて上昇したときに劇的に低減する。このため、セル電圧を注意深く監視しセル電圧を所定の範囲内に保持するための措置を講じることが極めて重要である。
【０００４】
さらに問題を複雑にすることには、セルの中には、リチウムセルの製造時の欠陥に起因して、外見的には同一の他のセルほど電荷を蓄積しないセルがある。これに起因して、複数のリチウムセルが互いに直列に接続されるとき、欠陥のあるセルは他のセルより速く放電し、よって放電中に最初に上述の下限値に達する。このような欠陥セルは、充電中もやはり最初に上限値に達する場合が多い。セル間のこのアンバランスは、バッテリパックの動作中に電荷が再びバランスされない限り、バッテリパックの有効な動作範囲を制限する。
【課題を解決するための手段】
【０００５】
本発明は、１つ又は複数のバッテリパックのセルの電圧を監視し、パック内のセルをバランスさせるための方法とシステムに関する。このような機能性は、既存の外部の制御システムとインタフェースし、同時に外部の制御システムを、監視されバランスされるバッテリセルから絶縁するように適合化された単一の監視及びバランスシステムにおいて、簡便に提供されてもよい。例えば、プリント配線基板である単一の機器構成要素を用いる監視及びバランスは、電気システム内において必要とされる相互接続の数を減らす。
【０００６】
本発明の一態様によれば、例えばリチウムセルである複数のセルの直列接続から形成されるバッテリパックを、アナログ入力部及びデジタル入力部が利用可能なメインシステムコントローラを用いて監視しバランスさせる方法が提供されている。ある実施形態では、このようなコントローラは、電気自動車において既に利用されているメインシステムコントローラを含む。
【０００７】
一般に、２ｎ個のセルを有するバッテリパックを、ｎ個のデジタル制御信号を用いることによって単一のアナログ入力部上で監視することができる。これは、ｎ個のデジタル入力信号によって制御されるマルチプレクサを用いて、２ｎ個のセル電圧の各々をチャネリングすることによって達成されてもよい。同様に、追加のバッテリパックを、各追加のバッテリパック毎にシステムコントローラ上にフリーなアナログ入力部を追加することによって監視することができる。
【０００８】
ある実施形態では、各セルの温度を示す信号もまたシステムコントローラに提供される。ある例示的な実施形態では、サーミスタを用いて温度に依存する信号が発生されるが、技術上既知である他の温度−電気変換器を用いてもよい。複数のセルからの温度信号は、車両コントローラ上の単一のアナログ入力部上で、例えば時分割多重を用いて伝達されてもよい。
【０００９】
説明されている実施形態では、車両のメインシステムコントローラとバッテリパックとの間に直接的な非絶縁の接続は必要とされない。
【００１０】
ある例示的な実施形態によれば、直列にストリング状に配列された複数のセルの複数のブロックから形成されたバッテリパックのためのバッテリセルをバランスさせる絶縁された監視システムが提供されている。本システムの監視側の各チャンネルは、例えば８個のセルブロックを監視し、分圧（スプリット）電源で動作する低いオン抵抗の差動マルチプレクサと、抵抗分圧器と、絶縁増幅器と、絶縁されたＤＣ／ＤＣ変換器と、インピーダンス整合のための出力演算増幅器とで構成される。各バランスブロックは、５００ｍＡまでの電流のシャッフリングを許容しながら、直列接続された２つのセルブロックにバランス処理を実行し、２つのツェナーダイオードと、１つの演算増幅器と、２つのトランジスタと、４つの抵抗器とを有する。
【００１１】
実施形態によっては、本監視システムは、制御ユニットをバッテリの接地に接続することなくセル電圧を外部制御ユニットに安全に送ることができるように、バッテリパックから絶縁される。このような絶縁は、例えば、光学的なアイソレータ、フォトトランジスタ又は改善された精度及び直線性のための電流ベースの絶縁増幅器又はこれらの組合せによって達成されてもよい。
【００１２】
実施形態によっては、セルバランス回路は切断されたセルに近接するセルの放電を阻止するように構成され、一般に過充電及び過放電からの保護を提供する。
【００１３】
実施形態によっては、本監視システムは、短絡したセル又は切断されたセルを迅速に識別するために、電圧を監視しセルからセルへの迅速な監視の移行を可能にする正確な手段として低いオン抵抗の差動マルチプレクサを含む。
【００１４】
実施形態によっては、本システムは、臨界温度を監視できるようにサーミスタからの入力信号を含む。
【００１５】
実施形態によっては、本システムはまた、温度監視に用いられるマルチプレクサのみならずセル電圧の監視に用いられる差動マルチプレクサのための選択信号を発生するオンボードのタイマ回路を含む。
【００１６】
ある態様においては、本システムは、１つ又は複数のバッテリパック内のエネルギー伝送デバイスをバランスさせるためのシステムである。本システムは、直列に電気的に接続されたＮ個のエネルギー伝送デバイスにてなる少なくとも１つのグループを含み、Ｎは２以上の整数である。Ｎ個のエネルギー伝送デバイスにてなる各グループについて、本システムは、エネルギー伝送デバイスの隣り合うペア毎に１つのバランス回路を含む。バランス回路は、（ｉ）ペアの第１のエネルギー伝送デバイスに蓄積される電荷がペアの第２のエネルギー伝送デバイスに実質的に等しく、かつ（ｉｉ）各エネルギー伝送デバイスに蓄積される電荷が所定のしきい値を越えるように保持するように、隣り合うペアの各エネルギー伝送デバイスに蓄積される電荷を調整する。
【００１７】
ある実施形態では、バランス回路は、各エネルギー伝送デバイスに蓄積される電荷を所定のしきい値を越えるように保持するための少なくとも１つのツェナーダイオードを含む。他の実施形態は、ツェナーダイオードの電圧基準の特性及び関連する特性を提供するための技術上既知である代替の構成要素を用いてもよい。別の実施形態では、バランス回路は、各エネルギー伝送デバイスに蓄積される電荷を保持するための、バックツーバック構成で設けられたツェナーダイオードのペアを含む。
【００１８】
別の実施形態はさらに、各エネルギー伝送デバイスを順次選択し、選択されたエネルギー伝送デバイスに関連づけられる電圧を出力ポートにおいて供給するための電圧監視モジュールを含む。電圧監視モジュールは、低いオン抵抗の差動マルチプレクサを用いて各エネルギー伝送デバイスを選択し、関連する電圧を供給する。
【００１９】
別の実施形態では、差動マルチプレクサは分圧電源回路によって電力を供給される。さらに別の実施形態では、電圧監視モジュールは、エネルギー伝送デバイスと出力ポートとの間を絶縁する。さらに別の実施形態では、絶縁することは、マルチプレクサのための選択信号を光学的なアイソレータを通過させることと、選択されたエネルギー伝送デバイスに関連づけられる電圧を絶縁増幅器を通過させることを含む。
【００２０】
ある実施形態はさらに、バッテリパック及び１つ又は複数の他のバッテリパックに関連づけられる温度を示す信号を受信し、受信された信号のうちの１つを出力ポートにおいて選択的に供給するための温度監視モジュールを含む。
【００２１】
別の実施形態では、バランス回路と電圧監視モジュールとは単一のプリント配線基板内で接続される。さらに別の実施形態では、各エネルギー伝送デバイスはリチウムセルである。
【００２２】
別の態様において、１つ又は複数のバッテリパックの絶縁された監視を提供し、１つ又は複数のバッテリパック内のエネルギー伝送デバイスをバランスさせるためのシステムは、直列に電気的に接続されたＮ個のエネルギー伝送デバイスにてなる少なくとも１つのグループを含む。但し、Ｎは２以上の整数である。Ｎ個のエネルギー伝送デバイスにてなる各グループについて、本システムは、バランスモジュールと電圧監視モジュールとを含む。バランスモジュールは、エネルギー伝送デバイスの隣り合うペア毎に１つのバランス回路を含む。バランス回路は、（ｉ）ペアの第１のエネルギー伝送デバイスに蓄積される電荷がペアの第２のエネルギー伝送デバイスに実質的に等しく、かつ（ｉｉ）各エネルギー伝送デバイスに蓄積される電荷が所定のしきい値を越えるように保持するように、隣り合うペアの各エネルギー伝送デバイスに蓄積される電荷を調整する。電圧監視モジュールは、分圧電源上で動作し、複数の入力ポートに供給される各エネルギー伝送デバイスを順次選択し、選択されたエネルギー伝送デバイスに関連づけられる電圧を出力ポートにおいて供給するための差動マルチプレクサを含み、上記差動マルチプレクサは、複数の入力ポートから出力ポートまでの低いオン抵抗の経路を特徴としている。電圧監視モジュールはまた、選択されたエネルギー伝送デバイスに関連づけられる電圧をスケーリングしてスケーリングされた電圧を生成する抵抗分圧器を含む。電圧監視モジュールはさらに、絶縁されたバージョンのスケーリングされた電圧を供給するための絶縁増幅器と、絶縁増幅器の入力側に電力を供給するための絶縁されたＤＣ／ＤＣ変換器と、スケーリングされた電圧をシステムコントローラへインピーダンス整合するための出力演算増幅器とを含む。
【００２３】
ある実施形態では、バランス回路は、各エネルギー伝送デバイスに蓄積される電荷を保持するための、バックツーバック構成で設けられたツェナーダイオードのペアを含む。
【００２４】
ある実施形態はさらに、エネルギー伝送デバイスの隣り合うペア間の電荷のアンバランスのレベルを決定し、この電荷のアンバランスのレベルに対応するエラー信号を生成するための演算増幅器と、エラー信号に従って、エネルギー伝送デバイスの隣り合うペアの電荷を再分配するように設けられたスタックされたトランジスタペアとを含む。別の実施形態では、差動マルチプレクサは分圧電源回路によって電力を供給される。
【００２５】
別の実施形態はさらに、バッテリパック及び１つ又は複数の他のバッテリモジュールに関連づけられる温度を示す信号を受信し、受信された信号のうちの１つを出力ポートにおいて選択的に供給するための温度監視モジュールを含む。さらに別の実施形態では、各エネルギー伝送デバイスはリチウムセルである。
【００２６】
別の態様は、バッテリパック内のエネルギー伝送デバイスをバランスさせる方法を含み、上記バッテリパックは直列に電気的に接続されたＮ個のエネルギー伝送デバイスにてなる１つのグループを含む。但し、Ｎは２以上の整数である。本方法は、バッテリパック内のエネルギー伝送デバイスの隣り合う各ペアについて、ペアのエネルギー伝送デバイスに蓄積される電荷が実質的に等しくなるように、隣り合うペアの各エネルギー伝送デバイスに蓄積される電荷を調整することを含む。本方法はさらに、各エネルギー伝送デバイスに蓄積される電荷を所定のしきい値を越えるように保持することを含む。
【００２７】
別の実施形態はさらに、エネルギー伝送デバイスの隣り合うペア間の電荷を再分配回路を用いて再分配することを含む。再分配回路は、各エネルギー伝送デバイスに蓄積される電荷を所定のしきい値を越えるように保持するための、バックツーバック構成で設けられたツェナーダイオードのペアを含む。
【００２８】
ある実施形態はさらに、各エネルギー伝送デバイスを低いオン抵抗の差動マルチプレクサを用いて順次選択することと、選択されたエネルギー伝送デバイスに関連づけられる電圧を供給することを含む。別の実施形態はさらに、分圧電源回路から差動マルチプレクサに電力を供給することを含む。
【００２９】
本発明そのもののみならず、本発明の上述した目的及び他の目的及び本発明の様々な特徴は、添付の図面とともに以下の説明を読むことによって、より十分に理解されるであろう。
【図面の簡単な説明】
【００３０】
【図１】説明されている実施形態のうちの１つ又はそれ以上によって提供される一般的な機能を示すブロック図である。
【図２】図１の電圧監視モジュールの一実施形態を示す。
【図３】差動マルチプレクサに電力を供給するための分圧電源回路の詳細を示す。
【図４】選択されたラインのうちの２つがマルチプレクサから絶縁される方法の詳細を示す。
【図５】調整回路及び絶縁増幅器の例示的な実施形態を示す。
【図６】バランスモジュールのバランス回路の詳細を示す。
【図７】バッテリ監視及びバランスシステムの一実施形態の温度検出部の構成を示す。
【図８】説明されている実施形態の機能及びモジュールが単一のシステムに統合される一例を示す。
【発明を実施するための形態】
【００３１】
本発明の実施形態は、バッテリセルを監視すること、バッテリセルをバランスさせること又はバッテリセルの温度を監視すること、もしくはこれらの組合せを提供するように適合化される。説明されている実施形態は、受信される情報に基づいてセーフティクリティカルな決定を行うことができる外部の絶縁された車両のコントローラに対して、セーフティクリティカルシステムの電圧及び温度を安全に送ることができるように必要とされる信号調整を行う。
【００３２】
図１は、本明細書において説明されているバッテリパックを監視しバランスさせるためのシステム及び方法の実施形態のうちの１つ又はそれ以上によって提供される一般的な機能を示すブロック図である。バッテリパック１０２は、直列に接続された２つ以上のエネルギー伝送デバイス１０４（例えば、リチウムセル。）を含む。
【００３３】
電圧監視モジュール１０６は、各エネルギー伝送デバイス１０４に関連づけられる電圧の情報を受信し、電圧の情報を調整して絶縁し、電圧の情報を出力ポートを介してシステムコントローラ１０８に提供する。システムコントローラ１０８は、充電及び放電中に各エネルギー伝送デバイス１０４を評価し、個々のエネルギー伝送デバイス１０４の何れかが損傷状態にある可能性があるかどうかを決定する。例えば、充電中に、全体的なパックの電圧がまだ安全レベル内より下にあるとしても、各セルが安全電圧レベルに達している又はこれを越えている場合がある。同様に、放電中に、バッテリパック全体の電圧がまだその安全な最低のしきい値を越えているとしても、各セルの電圧が安全な最低のしきい値より降下する場合がある。システムコントローラ１０８は、望ましくない値にある個々のセル電圧を検出すると、バッテリパック１０２の充電又は放電を中断する。
【００３４】
バランスモジュール１１０は、隣り合うセルペアの相対的な電圧レベルを評価し、隣り合うセル間の電荷を再分配してペアのセル電圧の差を緩和する。さらに詳細後述するように、バランスモジュール１１０は、セルペアにおける一方のセルが取り外される、もしくは切断された場合に、他方のセルの過剰なセル放電を防止するための機能を含む。
【００３５】
温度監視モジュール１１２は、バッテリパック１０２の温度に対応する情報を受信する。温度情報は、一般にバッテリパック内に位置づけられる変換器（トランスデューサ）によって生成される電気信号の形式であるが、温度情報は技術上既知である他の形式であってもよい。温度監視モジュール１１２は、温度情報をシステムコントローラ１０８に提供する。温度監視モジュールは他のバッテリパック（図示せず。）からも温度情報を受信し、複数のバッテリパックからの温度情報をシステムコントローラ１０８に提供してもよい。
【００３６】
以下、図１に示す構成要素について説明する。
【００３７】
Ｉ．セル電圧の監視．
図２は、８個のセルを有するバッテリパック１０２のセル電圧を測定する電圧監視モジュール１０６の一実施形態を示す。但し、これは単に例示的な実施形態であり、本明細書に記述している概念を他のサイズのバッテリパックに用いてもよいことは理解されるべきである。
【００３８】
電圧監視モジュール１０６は、８チャンネルの差動マルチプレクサ１２０と、分圧電源回路１２２と、選択信号発生タイマ回路１２４と、信号調整回路１２６と、絶縁増幅器１２８とを含む。
【００３９】
差動マルチプレクサ１２０は、バッテリパック１０２内の８つのセル１０４のうちの１つにおける電圧をそれぞれ表す８つの信号ペア１３０を受信する。明確を期して、図２では信号ペア１３０及びセル１０４は２つしか参照数字で示されていない。差動マルチプレクサ１２０は、デバイス製造プロセスのバラツキに起因する較正の必要性を減じるだけでなく、セル電圧測定の精度を高める、入力部から出力部への確実に低いオン抵抗を提供する。低いオン抵抗のマルチプレクサの使用によってもたらされる高められた精度は、先行技術のシステムに比較して迅速な、短絡又は切断セルの絶縁を可能にする。説明されている実施形態では、差動マルチプレクサ１２０はＤＧ  ４０７  ＣＭＯＳアナログマルチプレクサデバイスである。これは、複数の企業によって、例えばカリフォルニア州ミルピタスのインターシル（Ｉｎｔｅｒｓｉｌ）によって製造されている。
【００４０】
差動マルチプレクサ１２０は、図３にその詳細を示す分圧電源回路１２２から分圧電源電圧を受信する。分圧電源を使用することによって、シングルエンドの電源で動作するときに比較してマルチプレクサ１２０の精度が改善されるので、分圧電源を使用する。分圧電源は、バッテリパック１０２内の８個のセル１０４の直列ストリングにおける電圧降下を用いる。バッテリパック１０２の電圧のほぼ半分であるツェナー電圧を有するツェナーダイオードは、端子Ｂにおける電圧を端子Ａにおける電圧と端子Ｃにおける電圧との中間で固定する。従って、端子Ａはマルチプレクサ１２０の正の電圧の制限値（レール）を提供し、端子Ｃはマルチプレクサ１２０の負の制限値を提供し、端子Ｂはマルチプレクサ１２０の接地基準を提供する。記述しているこの例示的な実施形態は、３２ボルトの合計のパック電圧のために、４ボルトの電圧をそれぞれ有する直列に接続された８個のセルのバッテリパックを有する。１６ボルトのツェナーダイオードは、端子Ａと端子Ｂとの間の電圧を１６ボルトに固定し、端子Ｂと端子Ｃとの間の電圧を１６ボルトに固定する。
【００４１】
選択信号発生タイマ回路１２４（ＳＧＴＣ（ｓｅｌｅｃｔ  ｇｅｎｅｒａｔｉｎｇ  ｔｉｍｅｒ  ｃｉｒｃｕｉｔｒｙ））は、複数の選択信号１３６をマルチプレクサ１２０に供給する。選択信号１３６は、選択信号入力部１３２への可能な全ての入力値の繰り返しシーケンスを表し、これにより、バッテリパック１０２のセルからの各信号ペア１３０を、マルチプレクサ１２０の出力部１３４に周期的に方向づける。ある実施形態では、ＳＧＴＣ１２４は、一般的な５５５タイマ装置の出力信号を少なくとも３ビットを有するリップルキャリー（桁上げ伝搬加）算器に方向づけることによって、選択信号を発生する。ＳＧＴＣ１２４はまた、どのセル１０４が監視されているかに関連してシステムコントローラ１０８が同期をとられるように、選択信号１３６をシステムコントローラ１０８に供給する。
【００４２】
バッテリパック１０２の不適合な（かつ有害な可能性がある）電圧をシステムコントローラ１３８から電気的に絶縁するために、ＳＧＴＣ１２４は、光学的なアイソレータを用いて選択信号１３６を調整する。図４は、ＳＧＴＣ１２４からの選択されたラインのうちの２つ（ＳＥＬ０及びＳＥＬ１。）がマルチプレクサ１２０から絶縁される方法の詳細を示す。電気的な絶縁を行うための技術上既知である他の技術もまた用いられてもよい。
【００４３】
マルチプレクサ１２０は、マルチプレクサの出力部１３４において、選択されたセル電圧を供給する。選択されたセル電圧は、絶縁増幅器１２８に供給される前に信号調整回路１２６を通過する。信号調整回路１２６は、セル電圧を絶縁増幅器１２８の入力部に適合するようにスケーリングする分圧器ネットワークから成る。図５は、調整回路１２６及び絶縁増幅器１２８の例示的な実施形態を示す。この実施形態における絶縁増幅器１２８は、典型的には電動機の駆動装置において電流検出に用いられるタイプである。説明されている実施形態では、絶縁増幅器１２８は２つの別々の電源によって電力を供給される。絶縁増幅器の入力側は、選択されたセル電圧の負極側を基準とする供給電圧であって、絶縁されたＤＣ／ＤＣ変換器によって生成された供給電圧によって電力を供給される。絶縁増幅器の出力側は、システムコントローラの接地を基準とする供給電圧によって電力を供給される。
【００４４】
図５に示す電流ベースの絶縁増幅器１２８は、典型的には先行技術のシステムに用いられる線形の光カプラの技術では欠如する線形性、安定性及び精度を提供する。絶縁増幅器１２８の出力信号は、メインシステムコントローラの制御ユニット１０８と同一の接地に参照される。絶縁増幅器１２８の出力信号は、インピーダンス整合を実行する演算増幅器回路１４０に進み、セル電圧信号の振幅をシステムコントローラ１０８に適するレベルまで増大する大きな利得を提供する。直列に接続された８個のセルから成る各ブロックは、バッテリパック内の各セルに順次対応する１つの比例する出力電圧を生成する。出力電圧はバッテリパック１０２から絶縁され、制御ユニット１０８によって安全に読み取られかつ処理されることが可能である。
【００４５】
ＩＩ．セルバランス．
セルをバランスさせることは、バックツーバックツェナーダイオード構成の後の比較器を用いて達成される。フルバランス技術の例示的な実施形態を図６に示す。一般に、バランスモジュール１１０は、１つのセルペアをそれぞれバランスさせる複数のバランス回路１１１から成る。図６は、複数のバランス回路１１１のうちの１つを示す。
【００４６】
一般に、バランスモジュール１１０内の各バランス回路は等しい抵抗器１５０のペアを用いて「２分の１の」分圧器を形成し、分圧器は、セルＮ及びＮ＋１のペアの合計電圧の２分の１である基準電圧１５２を生成する。汎用の演算増幅器７４１は、基準電圧１５２をセルＮ及びＮ＋１のペア間の実際の中間電圧１５４と比較し、生成される結果的なエラー信号１５６を用いてスタックされたトランジスタペア１５８を駆動する。エラー信号１５６は、中間電圧１５４が基準電圧１５２に等しくなければゼロではない。エラー信号１５６がゼロでなければ、エラー信号はトランジスタペアのうちの１つを導通するように駆動する。アクティブなトランジスタは、中間電圧がセルペアの合計電圧の２分の１に等しくなるまでセルペアのうちの一方における電荷を調整し、これによって、エラー信号はゼロまで下がり、アクティブなトランジスタはオフにされる。
【００４７】
比較器に基づく従来の多くのバランスシステムに伴う１つの問題点は、セルがバランス回路から切断されるときに生じる。切断されたセルは、通常、当該切断されたセルに対してバランスされるセルの放電を引き起こす。そして、この放電は、直列ストリング内の次のセルの放電、等々に繋がる。よって、従来のバランサのストリングがパックに接続されていれば、切断されたセルから上流のセルが全てゼロボルトまで放電する連鎖反応が発生し、劇的な電圧低下をひきおこす。
【００４８】
説明されている実施形態におけるセルバランス装置は、両方のセルが接続されている場合にのみ電流を流すことを許容するバックツーバック構成で設けられた戦略的に選択されるツェナーダイオード１６０を組み込むことによってこの問題に対処する。何れかのセルが切断状態になれば、（どのセルが切断されているかに依存して。）一方のツェナーダイオード１６０は、切断されていないセルからの電流の流れを遮断する。
【００４９】
ツェナーダイオード１６０のツェナー電圧値は、一方のセルが切断されている場合に、切断されていない方のセルがどの程度の低電圧まで放電できるかを決定する。従って、バランス回路のために選択される所定のツェナーダイオードは、バッテリパック１０２において用いられる所定のタイプのセル（即ち、この所定のセル技術の最低の安全電圧。）に依存する。従って、ツェナーダイオードは、バッテリパック１０２の各セル１０４に蓄積される電荷が所定のしきい値より降下することを防ぎ、上記しきい値はツェナーダイオード１６０の値によって決定される。
【００５０】
ＩＩＩ．温度の監視．
温度の検出は、特に、バッテリパック１０２内にリチウムセルが用いられる場合に有益である。リチウムセルは、その推奨される温度範囲以外の温度にさらされると劣化する可能性があり、過剰な温度は不安定な又は危険なシナリオを生む可能性がある。そのため、バッテリパックの温度はしばしば綿密に監視され、温度しきい値を越えたときにバッテリパックの使用が中断される。
【００５１】
図７は、バッテリのバランス及び監視システムの一実施形態の温度検出構成を示す。この実施形態は、バッテリパック内に戦略的に搭載されたサーミスタを用いてサーミスタの直近の周囲温度を電気信号に変換するが、技術上既知である他の温度−電気信号変換器が用いられてもよい。
【００５２】
図７は、複数のサーミスタ入力部１７２から１つを選択するためのアナログマルチプレクサ１７０を示す。明確を期して、バッテリパック１０２に関連づけられるサーミスタ１７４のみマルチプレクサ１７０の第１の入力部に接続されて示されているが、一般に、他のバッテリパックに関連づけられるサーミスタもマルチプレクサ１７０の他の入力部に接続される。
【００５３】
サーミスタ１７４は、マルチプレクサ１７０の入力部が抵抗分圧器の中点になるように、固定のプルアップ抵抗器を用いてマルチプレクサ入力部１７２に結合される。サーミスタの抵抗はサーミスタの温度に伴って変わるので、マルチプレクサの入力部における電圧もサーミスタの温度に伴って変わる。
【００５４】
選択信号１７６は、マルチプレクサ出力部１７８に導かれるべきマルチプレクサ１７０の所定のサーミスタ入力を選択する。一般に、システムコントローラは選択入力信号を提供するが、実施形態の中には、システムコントローラが接続されたバッテリパックからの温度情報を所定のシーケンスで観察するように、単にマルチプレクサの選択入力部に繰り返しカウント値を提供する回路を単に含んでもよいものがある。
【００５５】
電圧フォロワ１８０は、マルチプレクサ出力１７８から信号を受信する。電圧フォロワ１８０は信号をバッファし、バッファされた信号をシステムコントローラへ供給する。
【００５６】
ＩＶ．システムの統合．
図８は、直列に接続された８個のセルを有するバッテリパックと相互に接続するための、例えばプリント配線基板上に存在する単一のシステム１９０に統合される本明細書で説明されている実施形態の機能及びモジュールの一例を示す。本明細書で記述しているように、これは単に例示的な実施形態であり、８個より多い又は少ないセルを有するバッテリパックが用いられてもよい。
【００５７】
従って、これまでに述べた実施形態及び例から、バッテリセルの電圧及び温度を監視し、性能、寿命及び安全性を目的として充電及び放電動作の間にセルをバランスさせる方法が説明されていることが分かるであろう。
【００５８】
本発明は、本発明の精神又は本質的特性から逸脱することなく、他の特有の形式で具現されてもよい。従って、これらの実施形態は例示的であって限定的でないという観点から考察されるべきものであり、本発明の範囲は、これまでの明細書本文ではなく添付の請求の範囲によって指示され、よって請求の範囲と同等の意味及び範囲に包含される全ての変更は本発明に包含されることが意図される。
【図１】
2009544272.tif 000003
【図２】
2009544272.tif 000004
【図３】
2009544272.tif 000005
【図４】
2009544272.tif 000006
【図５】
2009544272.tif 000007
【図６】
2009544272.tif 000008
【図７】
2009544272.tif 000009
【図８】
2009544272.tif 000010
【国際調査報告】
2009544272.tif 000011